(57)【要約】【課題】着弾ずれを抑制して高品質な印字を可能にするとともにサテライトやインクミストの付着によって記録媒体が汚れてしまうことを防止することができ、装置の大型化及びそれに伴うコストアップのない記録装置を提供する。【解決手段】流体を複数のノズルから噴射する走査型の流体噴射ヘッド１０と、噴射された流体が着弾する記録媒体Ｐを支持する記録媒体支持部と、を有し、記録媒体支持部は記録媒体Ｐを吸引する複数の吸引孔５１を備え、複数の吸引孔５１のうちの一部は流体噴射ヘッド１０の走査領域Ｓに平面視重なる位置に配置されるとともに記録媒体Ｐの側方に露出した露出吸引孔５１ｂであり、流体噴射ヘッド１０の走査領域Ｓの少なくとも一方側に、ノズル形成面２１Ａと記録媒体Ｐとの間に下面１１Ａ、１２Ａが位置するとともに流体噴射ヘッド１０の走査方向と垂直かつノズル形成面２１Ａと平行な方向に延在する板状部材１１、１２が設けられている。【選択図】図４
2011131388.tif 000002
【特許請求の範囲】
【請求項１】
流体を複数のノズルから噴射する走査型の流体噴射ヘッドと、該流体噴射ヘッドから噴射された前記流体が着弾する記録媒体を支持する記録媒体支持部と、を有し、
前記記録媒体支持部は前記記録媒体を吸引する複数の吸引孔を備え、該複数の吸引孔のうちの一部は前記流体噴射ヘッドの走査領域に平面視重なる位置に配置されるとともに前記記録媒体の側方に露出した露出吸引孔であり、
前記流体噴射ヘッドの走査領域の少なくとも一方側に、前記流体噴射ヘッドのノズル形成面と前記記録媒体との間に下面が位置するとともに前記流体噴射ヘッドの走査方向と垂直かつ前記ノズル形成面と平行な方向に延在する板状部材が設けられていることを特徴とする記録装置。
【請求項２】
前記流体噴射ヘッドの走査方向の上流側と下流側との少なくとも一方において、前記流体噴射ヘッドの一部が前記記録媒体の側端を越えるとともに前記記録媒体の側端に最も近接して配置された前記露出吸引孔の少なくとも一部と平面視重なるときに、前記板状部材の少なくとも一部が前記記録媒体の側端に最も近接して配置された前記露出吸引孔と対向することを特徴とする請求項１に記載の記録装置。
【請求項３】
前記板状部材が前記流体噴射ヘッドの走査領域の両側に設けられていることを特徴とする請求項１または２に記載の記録装置。
【請求項４】
前記板状部材が前記流体噴射ヘッドの走査方向と平行な第１の軸を基準として平面視線対称になっていることを特徴とする請求項３に記載の記録装置。
【請求項５】
前記板状部材が前記流体噴射ヘッドの走査方向と垂直かつ前記ノズル形成面と平行な第２の軸を基準として平面視線対称になっていることを特徴とする請求項３または４に記載の記録装置。
【請求項６】
前記板状部材が前記流体噴射ヘッドの走査方向と平行な方向に移動可能になっていることを特徴とする請求項１〜５のいずれか１項に記載の記録装置。
【請求項７】
前記板状部材が変更可能になっていることを特徴とする請求項１〜６のいずれか１項に記載の記録装置。
【請求項８】
前記板状部材と前記流体噴射ヘッドとの間に弾性部材が設けられていることを特徴とする請求項１〜７のいずれか１項に記載の記録装置。
【発明の詳細な説明】
【技術分野】
【０００１】
本発明は、記録装置に関するものである。
【背景技術】
【０００２】
従来、記録装置の一種としてインクジェット式プリンター（以下、「プリンター」という）がある。このプリンターは、キャリッジに搭載された流体噴射ヘッド（以下、「ヘッド」という）の複数のノズルからプラテン上に配置された記録媒体にインク（流体）を噴射することで印刷を行っている。
【０００３】
このようなプリンターにあっては、安定な記録を行うために記録媒体の表面とヘッドのノズル形成面との間隔を一定に保持することが重要である。例えば、記録媒体にインクが噴射された際にコックリング（皺や波打ち状の変形）が生じたり、湿気の影響でカールが生じたりすると、プラテン上に配置された記録媒体が浮き上がりやすくなる。記録媒体に浮きが生じると、ヘッドを走査する際にヘッドのノズル形成面が記録媒体の浮き部と擦れてしまう。すると、記録媒体の表面を傷つけたり汚したりする問題が生じるとともに画像品位を低下させるおそれがある。さらに、ヘッドのノズル形成面が損傷するなどの可能性もある。
【０００４】
そこで、ヘッドと対向する位置に複数の吸引孔を有し記録媒体を吸引させて保持するプラテン（以下、「吸引プラテン」という）を設け、記録媒体のコックリングやカールを抑える技術が提案されている。
【０００５】
ところで、吸引プラテンに配置される記録媒体のサイズが小さい場合や記録媒体の端部に余白を残さないフチなし記録を行う場合において、複数の吸引孔のうちの一部が記録媒体の側方に露出することがある。このとき、ヘッドから噴射されるインクは、露出した吸引孔に作用する吸引力によって生じる気流に影響を受けて流される。その結果、ヘッドから噴射されるインクが飛行曲がりし、画像品位を低下させてしまう。さらに、ヘッドからインクを噴射する際に主滴と同時に噴射される主滴よりも小さい液滴（以下、「サテライト」という）やサテライトよりも小さい霧状の液滴（以下、「インクミスト」という）に対しても露出した吸引孔による吸引力が働くこととなる。このため、露出した吸引孔に向かって流されたサテライトやインクミストが記録媒体の側方のプラテン上に付着する。すると、記録媒体を搬送する際にサテライトやインクミストが記録媒体の裏面に付着し記録媒体を汚してしまう。
【０００６】
このような問題点を解決するための技術が各種検討されており、例えば、特許文献１では、記録媒体の幅方向によって吸引プラテンの負圧区域の吸引面積を異ならせている。これにより、弱い吸着負圧で記録媒体を吸引プラテンに密着させている。
また、特許文献２では、記録媒体側方にはみ出す位置に吐出されたインクをうけるフチなし溝から吸引プラテンの記録媒体搬送方向下流側にのびる空気流入溝を備えている。これにより、記録媒体端部となるフチなし溝の風速や風量を下げている。
また、特許文献３では、ヘッドのノズル形成面とインクが着弾する面とで挟まれた空間にインクが着弾する方向に気流を発生させる気流発生機構を装備している。これにより、インクが飛翔する方向に一様な気流を発生させている。
【先行技術文献】
【特許文献】
【０００７】
【特許文献１】特開２００７−７６１７５号公報
【特許文献２】特開２００７−３３１２５５号公報
【特許文献３】特開２００９−５１０８１号公報
【発明の概要】
【発明が解決しようとする課題】
【０００８】
特許文献１〜３の技術にあっては、着弾ずれを抑制して高品質な印字を可能にするとともにサテライトやインクミストの付着によって記録媒体が汚れてしまうことを防止できると考えられる。
しかしながら、特許文献１では、吸引プラテンの吸引孔が記録媒体の搬送方向下流側に行くに従って記録媒体の幅中央部分から記録媒体の幅方向に沿って徐々に増えるように配置されている。また、記録媒体の搬送方向に吸引プラテンが内部仕切りで複数の吸引室に分割され各吸引室の境にエアーダンパを備えている。このため、吸引孔の配置や吸引プラテンの分割、エアーダンパの増加による装置の大型化及びそれに伴う設備投資などのコストアップにつながる。
また、特許文献２では、風速や風量を下げることにより吸引力が低下して記録媒体が浮き上がってしまい、ヘッドを走査する際にヘッドのノズル形成面が記録媒体の浮き部と擦れる場合がある。
また、特許文献３では、ヘッドの上に気流発生機構を設けるためのスペースが必要となり、装置が大規模なものになってしまう。
【０００９】
本発明はこのような事情に鑑みてなされたものであって、着弾ずれを抑制して高品質な印字を可能にするとともにサテライトやインクミストの付着によって記録媒体が汚れてしまうことを防止することができ、装置の大型化及びそれに伴うコストアップのない記録装置を提供することを目的とする。
【課題を解決するための手段】
【００１０】
上記の課題を解決するため、本発明の記録装置は、流体を複数のノズルから噴射する走査型の流体噴射ヘッドと、該流体噴射ヘッドから噴射された前記流体が着弾する記録媒体を支持する記録媒体支持部と、を有し、前記記録媒体支持部は前記記録媒体を吸引する複数の吸引孔を備え、該複数の吸引孔のうちの一部は前記流体噴射ヘッドの走査領域に平面視重なる位置に配置されるとともに前記記録媒体の側方に露出した露出吸引孔であり、前記流体噴射ヘッドの走査領域の少なくとも一方側に、前記流体噴射ヘッドのノズル形成面と前記記録媒体との間に下面が位置するとともに前記流体噴射ヘッドの走査方向と垂直かつ前記ノズル形成面と平行な方向に延在する板状部材が設けられていることを特徴とする。
【００１１】
この記録装置によれば、露出吸引孔に作用する吸引力によって生じる気流の一部が板状部材によって整流される。これにより、露出吸引孔に作用する吸引力によって生じる気流を所定の方向に整流することができる。したがって、流体噴射ヘッドから噴射されるインクの着弾ずれを抑制して高品質な印字を可能にするとともにサテライトやインクミストの付着によって記録媒体が汚れてしまうことを防止することができる。また、特許文献１に示すようにプラテン上の吸引孔の配置やプラテンを分割、エアーダンパの増加を考慮したり、特許文献３に示すようにヘッドの上に気流発生機構を設けたりする構造となっていない。したがって、装置の大型化及びそれに伴うコストアップのない記録装置を提供することができる。
【００１２】
また、上記記録装置は、前記流体噴射ヘッドの走査方向の上流側と下流側との少なくとも一方において、前記流体噴射ヘッドの一部が前記記録媒体の側端を越えるとともに前記記録媒体の側端に最も近接して配置された前記露出吸引孔の少なくとも一部と平面視重なるときに、前記板状部材の少なくとも一部が前記記録媒体の側端に最も近接して配置された前記露出吸引孔と対向していてもよい。
【００１３】
この記録装置によれば、板状部材の一部が記録媒体の側端に最も近接して配置された露出吸引孔と対向していないときよりも露出吸引孔に作用する吸引力によって生じる気流の整流領域を大きくすることができる。したがって、所定の方向への整流作用をさらに向上させることができる。
【００１４】
また、前記板状部材が前記流体噴射ヘッドの走査領域の両側に設けられていてもよい。
【００１５】
この記録装置によれば、露出吸引孔に作用する吸引力によって生じる気流は、流体噴射ヘッドの走査領域の両側に設けられた板状部材によって整流され、一方の板状部材と他方の板状部材との間を通るようになる。これにより、露出吸引孔に作用する吸引力によって生じる気流を流体噴射ヘッドの走査方向とほぼ平行に整流することができる。したがって、所定の方向への整流作用をさらに向上させることができる。
【００１６】
また、上記記録装置は、前記板状部材が前記流体噴射ヘッドの走査方向と平行な第１の軸を基準として平面視線対称になっていてもよい。
【００１７】
この記録装置によれば、流体噴射ヘッドの走査領域の両側に設けられた板状部材における一方の板状部材の整流作用及び他方の板状部材の整流作用がほぼ同じになる。つまり、記録媒体の搬送方向下流側と搬送方向上流側との間で、露出吸引孔に作用する吸引力によって生じる気流に対する整流作用に差が生じなくなる。したがって、所定の方向への整流作用をさらに向上させることができる。
【００１８】
また、上記記録装置は、前記板状部材が前記流体噴射ヘッドの走査方向と垂直かつ前記ノズル形成面と平行な第２の軸を基準として平面視線対称になっていてもよい。
【００１９】
この記録装置によれば、記録ヘッドの走査方向の上流側及び下流側において、流体噴射ヘッドの走査領域の両側に設けられた板状部材における一方の板状部材の整流作用及び他方の板状部材の整流作用がほぼ同じになる。つまり、記録ヘッドの走査方向の上流側及び下流側において、記録媒体の搬送方向下流側と搬送方向上流側との間で、露出吸引孔に作用する吸引力によって生じる気流に対する整流作用に差が生じなくなる。したがって、所定の方向への整流作用をさらに向上させることができる。
【００２０】
また、上記記録装置は、前記板状部材が前記流体噴射ヘッドの走査方向と平行な方向に移動可能になっていてもよい。
【００２１】
この記録装置によれば、板状部材が流体噴射ヘッドの走査方向の上流側及び下流側において露出吸引孔に作用する吸引力によって生じる気流を整流するように位置決めされる。つまり、流体噴射ヘッドの走査方向の上流側及び下流側において、記録媒体の搬送方向下流側と搬送方向上流側との間で、露出吸引孔に作用する吸引力によって生じる気流に対する整流作用に差が生じなくなる。したがって、所定の方向への整流作用をさらに向上させることができる。
【００２２】
また、上記記録装置は、前記板状部材が変更可能になっていてもよい。
【００２３】
この記録装置によれば、露出吸引孔に作用する吸引力によって生じる気流に対する板状部材の整流作用を適宜変更することができる。例えば、板状部材の整流作用（整流領域）が小さいときは、板状部材が流体噴射ヘッドの走査方向と垂直かつノズル形成面と平行な方向に伸ばしたり、この方向に伸長した板状部材と取り替えたりする。一方、板状部材の整流作用（整流領域）が大きいときは、板状部材が流体噴射ヘッドの走査方向と垂直かつノズル形成面と平行な方向に縮めたり、この方向に縮小した板状部材と取り替えたりする。したがって、所定の方向への整流作用をさらに向上させることができる。
【００２４】
また、上記記録装置は、前記板状部材と前記流体噴射ヘッドとの間に弾性部材が設けられていてもよい。
【００２５】
この記録装置によれば、板状部材が弾性部材を介して流体噴射ヘッドと間接的に接触するようになる。例えば、流体噴射ヘッドを走査したり板状部材を移動したりする際の位置バラツキによって、流体噴射ヘッドと板状部材とが強接触する場合がある。このため、板状部材と流体噴射ヘッドとの間に弾性部材が設けられていないと、この強接触に起因して流体噴射ヘッドに衝撃が付与され、流体噴射ヘッドを損傷させてしまうおそれがある。すなわち、板状部材と流体噴射ヘッドとの間に弾性部材が設けられていない場合（板状部材が流体噴射ヘッドと直接的に接触する場合）に比べて、流体噴射ヘッドを損傷させてしまう蓋然性が小さくなる。したがって、装置が損傷することが抑制された信頼性に優れる記録装置を提供することができる。
【図面の簡単な説明】
【００２６】
【図１】本発明に係る記録装置の概略構成を示す斜視図である。
【図２】記録ヘッドのノズル形成面におけるノズル配列状態を示す図である。
【図３】記録ヘッドの内部構成を示す部分断面図である。
【図４】第１実施形態に係る記録ヘッド及び板状部材の配置状態を示す平面図である。
【図５】第１実施形態に係る記録ヘッド及び板状部材の配置状態を示す断面図である。
【図６】実施例１における気流の速度分布のシミュレーション結果を示す図である。
【図７】比較例における気流の速度分布のシミュレーション結果を示す図である。
【図８】第２実施形態に係る記録ヘッド及び板状部材の配置状態を示す平面図である。
【図９】板状部材が２つの場合の配置状態を示す平面図である。
【図１０】実施例２における気流の速度分布のシミュレーション結果を示す図である。
【図１１】センター合わせにおける記録ヘッド及び板状部材の移動機構を示す図である。
【図１２】板状部材の第１変形例の平面図である。
【図１３】板状部材の第２変形例の平面図である。
【図１４】板状部材の第３変形例の平面図である。
【発明を実施するための形態】
【００２７】
以下、図面を参照して、本発明の実施の形態について説明する。かかる実施の形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等が異なっている。
【００２８】
（第１実施形態）
図１は、本発明の第１実施形態に係る記録装置の一例を示す概略斜視図である。以下、記録装置としてインクジェット式プリンターを例に挙げて説明する。
【００２９】
記録装置１は、記録用紙（記録媒体）Ｐにインク（流体）を噴射することで記録用紙Ｐに所定の情報や画像を印字する記録処理を行うものである。この記録装置１は、インクを複数のノズル１７（図２参照）から噴射する走査型の記録ヘッド（流体噴射ヘッド）１０と、流体噴射ヘッド１０の走査領域の少なくとも一方側に設けられた板状部材１１、１２と、記録ヘッド１０から噴射されたインクが着弾する記録媒体Ｐを支持するプラテン（記録媒体支持部）５０と、を含んで構成されている。
【００３０】
以下、図１に示したＸＹＺ直交座標系に基づいて説明する。このＸＹＺ直交座標系において、Ｘ方向及びＹ方向がプラテン５０の面方向と平行となっており、Ｚ方向がプラテン５０の面方向と直交している。実際には、ＸＹ平面が水平面に平行な面に設定されており、Ｚ方向が鉛直上方向に設定されている。ここでは、記録用紙Ｐの搬送方向がＹ方向、記録ヘッド１０の走査方向がＸ方向に設定されている。
【００３１】
図１に示すように、記録装置１は、平面視矩形状をなすフレーム４２を備えている。このフレーム４２内には、プラテン５０が架設されている。本実施形態では、プラテン５０の右サイド（−Ｘ方向側）において記録用紙Ｐの位置決めを行っている。
【００３２】
このプラテン５０は、記録用紙Ｐを吸引する複数の吸引孔５１を備えている。プラテン５０に配置された複数の吸引孔５１は、記録用紙Ｐに覆われた被覆吸引孔５１ａと記録用紙Ｐの側方に露出した露出吸引孔５１ｂとからなっている。なお、記録用紙Ｐは被覆吸引孔５１ａに作用する吸引力によってプラテン５０の上面に保持される。これにより、記録用紙Ｐのコックリングやカールが抑えられる。
【００３３】
また、プラテン５０上には、フレーム４２の背面に設けられた紙送りモーター４４を有する紙送り機構により記録用紙Ｐが＋Ｙ方向側から給送される。これにより、記録用紙ＰがＹ方向に延びる搬送路に沿って搬送されるようになっている。また、フレーム４２内におけるプラテン５０の上方には、プラテン５０の長手方向（Ｘ方向）と平行な棒状のガイド部材４５が架設されている。
【００３４】
ガイド部材４５には、キャリッジ４０がガイド部材４５の長手方向（Ｘ方向）に沿って往復移動可能に支持されている。キャリッジ４０は、フレーム４２内の後面に設けられた一対のプーリ４７ａ間に張設されたタイミングベルト４７を介してフレーム４２の背面に設けられたキャリッジモーター４８に連結されている。キャリッジ４０は、キャリッジモーター４８の駆動によりガイド部材４５に沿って往復移動される。
【００３５】
キャリッジ４０の下面には、記録ヘッド１０が設けられている。記録ヘッド１０の下面は、複数のノズル１７が形成されたノズル形成面２１Ａとなっている（図２参照）。また、キャリッジ４０における記録ヘッド１０の上側には、インクカートリッジ４１が着脱可能に搭載されている。このインクカートリッジ４１内には、インクがそれぞれ記録ヘッド１０に供給可能に収容されている。
【００３６】
ここで、図２及び図３を参照して記録ヘッド１０の構成について説明する。図２は、記録ヘッド１０のノズル形成面２１Ａにおけるノズル１７の配列状態を示す図である。図３は、記録ヘッド１０の内部構成を示す部分断面図である。
【００３７】
図２に示すように、ノズル１７はノズル形成面２１Ａにおいて搬送路の幅方向（Ｘ方向）に沿って複数設けられ、ノズル列１６を形成している。このノズル列１６は、搬送方向（Ｙ方向）に沿って計５列設けられている。ノズル列１６Ｙ、１６Ｍ、１６Ｃ、１６Ｋ１、１６Ｋ２は、それぞれ、イエロー（Ｙ）、マゼンダ（Ｍ）、シアン（Ｃ）、ブラック（Ｋ１）、顔料ブラック（Ｋ２）の各色に応じたインクを噴射する構成となっている。なお、記録ヘッド１０どうしをノズル１７間のピッチの半分だけ左右方向にずらして配置してもよい。これにより、記録用紙Ｐに対して印字する解像度を向上させることができる。
【００３８】
図３に示すように、記録ヘッド１０は、ヘッド本体１８と、ヘッド本体１８に接続された流路形成ユニット２２とを備える。流路形成ユニット２２は、振動板１９と、流路基板２０と、ノズル基板２１とを備えるとともに、共通インク室２９と、インク供給口３０と、圧力室３１とを形成する。さらに、流路形成ユニット２２は、ダイヤフラム部として機能する島部３２と、共通インク室２９内の圧力変動を吸収するコンプライアンス部３３とを備える。ヘッド本体１８には、固定部材２６とともに駆動ユニット２４を収容する収容空間２３と、インクを流路形成ユニット２２に案内する内部流路２８とが形成される。
【００３９】
上記構成の記録ヘッド１０によれば、ケーブル２７を介して駆動ユニット２４に駆動信号が入力されると、圧電素子２５が伸縮する。これにより、振動板１９が圧力室３１に接近する方向（−Ｚ方向）及び圧力室３１から離れる方向（＋Ｚ方向）に変形（移動）する。このため、圧力室３１の容積が変化し、インクを収容した圧力室３１の圧力が変動する。この圧力の変動によって、ノズル１７からインクが噴射される。
【００４０】
図１に戻り、インクカートリッジ４１内のインクは、記録ヘッド１０内に各ノズル１７と対応するように備えられた圧電素子２５の駆動により、インクカートリッジ４１から記録ヘッド１０へと供給される。さらに、各ノズル１７からプラテン５０上に給送された記録用紙Ｐに向けてインクが噴射されることにより、記録用紙Ｐに印刷が行われる。
【００４１】
また、フレーム４２内の右端部（−Ｘ方向端部）に位置する非印刷領域には、非印刷時に記録ヘッド１０のメンテナンス（例えば、クリーニングやフラッシング等）を行うためのメンテナンスユニット５２が設けられている。メンテナンスユニット５２は、記録ヘッド１０のノズル形成面２１Ａを封止可能な上側（＋Ｚ方向側）が開口したキャップ５３を備えている。
【００４２】
ところで、複数の吸引孔を有する吸引プラテンにサイズの小さい記録媒体を配置した場合やフチなし記録を行う場合、複数の吸引孔のうちの一部が記録媒体の側方に露出することがある。このとき、ヘッドから噴射されるインクは、露出した吸引孔に作用する吸引力によって生じる気流に影響を受けて流される。その結果、ヘッドから噴射されるインクが飛行曲がりし、画像品位を低下させる着弾ずれの問題が生じていた。さらに、サテライトやインクミストに対しても露出した吸引孔による吸引力が働くこととなる。このため、露出した吸引孔に向かって流されたサテライトやインクミストが記録媒体の側方のプラテン上に付着する。その結果、記録媒体を搬送する際にサテライトやインクミストが記録媒体の裏面に付着し記録媒体を汚す問題が生じていた。
【００４３】
本願発明者は、鋭意研究の結果、着弾ずれの原因は露出した吸引孔に作用する吸引力によって生じる気流の風向の影響が少なからず寄与していることを見出した。具体的には、ヘッドのノズル形成面と記録媒体との間を通る風が露出した吸引孔に向かって多方向から流れてくると、ヘッドから噴射される流体が多方向からの気流の影響を受けることになる。このため、複数のノズルから噴射される流体が多方向に飛行曲がりし画像品位が低下してしまう。この点については、例えば、ドットラインを所定の方向に描画する場合、所定の方向に描画されたドットラインの一部のドットでも斜めにずれると、人間の眼の感度（視感度）が斜めのずれに敏感であるため、それに伴い着弾ずれと認識されることからも確認されている。
【００４４】
そこで、本発明に係る記録装置１では、記録ヘッド１０の走査領域の少なくとも一方側に板状部材１１、１２を設けることによって、露出吸引孔５１ｂに作用する吸引力によって生じる気流を所定の方向に整流している。以下、図４及び図５を用いて板状部材の詳細について説明する。
【００４５】
図４は、記録ヘッド１０及び板状部材１１、１２の配置状態を示す平面図（記録ヘッド１０の走査領域の両側の一部に設けられた板状部材１１、１２を＋Ｚ方向側から視た平面図）である。図４（ａ）は記録ヘッド１０が記録ヘッドの走査方向の下流側（＋Ｘ方向側）にある状態を示している。また、図４（ｂ）は記録ヘッドの移動状態を示している。
図５は、記録ヘッド１０及び板状部材１１、１２の配置状態を示す断面図である。図５（ａ）は、図４（ａ）のＡ−Ａ線に沿った断面図である。また、図５（ｂ）は、図４（ａ）のＢ−Ｂ線に沿った断面図である。
【００４６】
なお、図４において、符号Ｓは記録ヘッド１０の走査領域、符号ＰＳＥは記録用紙Ｐの側端、符号ＬＳＥは記録用紙Ｐの側端と記録用紙Ｐの側端に最も近接して配置された露出吸引孔５１ｂ１との距離、符号ＣＬ１は記録ヘッドの走査方向（Ｘ方向）と平行な中心軸（第１の軸）である。また、図５（ａ）において、符号Ｈ１はノズル形成面２１Ａと記録用紙Ｐの上面との間の距離、符号Ｈ２は板状部材１１の下面１１Ａと記録用紙Ｐの上面との間の距離、符号Ｈ３は板状部材１２の下面１２Ａと記録用紙Ｐの上面との間の距離である。
【００４７】
図４（ａ）に示すように、記録ヘッド１０の走査方向の下流側（＋Ｘ方向側）においては、記録ヘッド１０の一部が記録用紙Ｐの側端ＰＳＥを越えている。また、記録ヘッド１０一部が記録用紙Ｐの側端ＰＳＥに最も近接して配置された露出吸引孔５１ｂ１の少なくとも一部と平面視重なっている。さらに、板状部材１１、１２の一部が記録用紙Ｐの側端ＰＳＥに最も近接して配置された露出吸引孔５１ｂ１と対向している。なお、記録用紙Ｐの側端ＰＳＥと記録用紙Ｐの側端ＰＳＥに最も近接して配置された露出吸引孔５１ｂ１との距離ＬＳＥは、例えば７ｍｍ程度になっている。
【００４８】
図４（ｂ）に示すように、記録ヘッド１０が移動している最中においては、記録ヘッド１０から噴射されるインクは、露出吸引孔５１ｂに作用する吸引力によって生じる気流にほとんど影響を受けない。記録ヘッド１０は、この状態を維持したまま記録ヘッド１０の走査方向の上流側（−Ｘ方向側）に移動する。
【００４９】
図４及び図５に示すように、記録ヘッド１０の走査領域Ｓの両側の一部には、記録ヘッド１０の走査方向（Ｘ方向）と垂直かつノズル形成面２１Ａと平行な方向に延在する平面視矩形状の板状部材１１、１２が設けられている。板状部材１１、１２は、翼状に広がっており露出吸引孔５１ｂに作用する吸引力によって生じる気流を整流する抵抗体として機能する。なお、板状部材１１、１２の表面は平らになっていてもよいし、凹凸になっていてもよい。つまり、板状部材１１、１２の表面状態は必要に応じて適宜設定することができる。
【００５０】
板状部材１１の下面１１Ａ及び板状部材１２の下面１２は、ノズル形成面２１Ａと記録用紙Ｐの上面との間に位置している（Ｈ２＜Ｈ１、Ｈ３＜Ｈ１）。また、板状部材１１及び板状部材１２は略同じ高さに配置されている（Ｈ２≒Ｈ３）。また、板状部材１１の下面１１Ａ及び板状部材１２の下面１２Ａは記録用紙Ｐの上面に近接している。例えば、ノズル形成面２１Ａと記録用紙Ｐの上面との間の距離Ｈ１が１．５ｍｍ以上２．０ｍｍ以下のときは、板状部材１１の下面１１Ａと記録用紙Ｐの上面との間の距離Ｈ２及び板状部材１２の下面１２Ａと記録用紙Ｐの上面との間の距離Ｈ３を０．２２５ｍｍ以上１．０ｍｍ以下に設定する。すなわち、板状部材１１の下面１１Ａと記録用紙Ｐの上面との間の距離Ｈ２及び板状部材１２の下面１２Ａと記録用紙Ｐの上面との間の距離Ｈ３を、ノズル形成面２１Ａと記録用紙Ｐの上面との間の距離Ｈ１の１５％以上５０％以下に設定する。
【００５１】
これにより、露出吸引孔５１ｂに作用する吸引力によって生じる気流の一部が板状部材１１、１２によって整流される。つまり、露出吸引孔５１ｂに作用する吸引力によって生じる気流を所定の方向に整流することができる。例えば、ドットラインを一列に描画する場合、一列に描画されたドットラインのすべてのドットがほぼ同じ方向（所定の方向）に流れるため、人間の眼の感度（視感度）にはほとんど影響しない。また、サテライトやインクミストの流れについても所定の方向に整流することができる。
【００５２】
本実施形態では、記録ヘッド１０の走査方向の下流側（＋Ｘ方向側）において、記録ヘッド１０の一部が記録用紙Ｐの側端ＰＳＥを越えるとともに、記録用紙Ｐの側端に最も近接して配置された露出吸引孔５１ｂの少なくとも一部と平面視重なるときに、板状部材１１、１２の少なくとも一部が記録用紙Ｐの側端ＰＳＥに最も近接して配置された露出吸引孔５１ｂ１と対向している。具体的には、記録ヘッド１０の一部が４つの露出吸引孔５１ｂと平面視重なっている。また、板状部材１１、１２の一部がそれぞれ１つの露出吸引孔５１ｂと平面視重なっている。
【００５３】
これにより、板状部材１１、１２の一部が記録用紙Ｐの側端ＰＳＥに最も近接して配置された露出吸引孔５１ｂ１と対向していないときよりも露出吸引孔５１ｂに作用する吸引力によって生じる気流の整流領域を大きくすることができる。
【００５４】
なお、本実施形態では、記録ヘッド１０の一部が４つの露出吸引孔５１ｂと平面視重なっているが、これに限らない。例えば、記録ヘッド１０の一部が記録用紙Ｐの側端ＰＳＥに最も近接して配置された２つの露出吸引孔５１ｂのみと平面視重なっていてもよい。つまり、記録ヘッド１０の一部が記録用紙Ｐの側端ＰＳＥを越えるとともに、記録用紙Ｐの側端ＰＳＥに最も近接して配置された露出吸引孔５１ｂの少なくとも一部と平面視重なっていればよい。
【００５５】
また、板状部材１１、１２はそれぞれ記録ヘッド１０の走査領域Ｓの両側に設けられている。具体的には、板状部材１１は走査領域Ｓを基準として記録用紙Ｐの搬送方向下流側（−Ｙ方向側）に設けられ、板状部材１２は走査領域Ｓを基準として記録用紙Ｐの搬送方向上流側（＋Ｙ方向側）に設けられている。
【００５６】
これにより、露出吸引孔５１ｂに作用する吸引力によって生じる気流は、板状部材１１、１２によって整流され、板状部材１１と板状部材１２との間を通るようになる。
【００５７】
また、板状部材１１、１２は第１の軸ＣＬ１を基準として平面視線対称になっている。これにより、板状部材１１の整流作用及び板状部材１２の整流作用がほぼ同じになる。つまり、記録用紙Ｐの搬送方向下流側（−Ｙ方向側）と搬送方向上流側（＋Ｙ方向側）との間で、露出吸引孔５１ｂに作用する吸引力によって生じる気流に対する整流作用に差が生じなくなる。
【００５８】
また、板状部材１１、１２には、記録ヘッド１０の走査方向の上流側（−Ｘ方向側）において、それぞれステイ１３、１４が設けられている。ステイ１３、１４は、それぞれ板状部材１１，１２の支持するものである。
【００５９】
具体的には、ステイ１３の一端１３ａは、記録ヘッド１０の走査方向の下流側（＋Ｘ方向側）における板状部材１１の側端に対応する位置に固定されている。また、ステイ１４の一端１４ａは、記録ヘッド１０の走査方向の下流側（＋Ｘ方向側）における板状部材１２の側端に対応する位置に固定されている。一方、ステイ１３の他端１３ｂ及びステイ１４の他端１４ｂは、不図示の移動装置を介してフレーム４２（図１参照）に固定されている。
【００６０】
不図示の移動装置を駆動することにより、板状部材１１、１２は、記録ヘッド１０の走査領域Ｓの両側に位置するようにＸ方向及びＹ方向に移動可能になっている。また、板状部材１１、１２は、記録用紙Ｐのサイズや記録ヘッド１０のサイズなどに対応するようにＸ方向及びＹ方向に移動可能になっている。
【００６１】
本願発明者は、本実施形態に係る記録装置の効果を確認するためのシミュレーションを行った。以下、本実施形態に係る記録装置（流体噴射ヘッドの走査領域の両側の一部に板状部材が設けられている構造）及び従来の記録装置（流体噴射ヘッドの走査領域の少なくとも一方側に板状部材が設けられていない構造）における記録媒体上の気流の速度分布のシミュレーション結果について、図６及び図７を用いて説明する。
【００６２】
図６は、実施例１における気流の速度分布のシミュレーション結果を示す図である。図７は、比較例（従来例）における気流の速度分布のシミュレーション結果を示す図である。なお、図６及び図７においては、便宜上、記録ヘッド、ノズル及び板状部材の図示を破線で示し、記録用紙の図示を一点鎖線で示している。また、図６において、符号１７ＹＳＥ，１７ＭＳＥ，１７ＣＳＥ，１７Ｋ１ＳＥ，１７Ｋ２ＳＥは、それぞれノズル列１６Ｙ，１６Ｍ，１６Ｃ，１６Ｋ１，１６Ｋ２（図２参照）のうち記録用紙Ｐの側端に平面視最も近接して配置されたノズル（フチなし記録を行う場合に記録用紙Ｐの側端に平面視最も近接して配置されたノズル）を示している。また、図７において、第１ノズル、第２ノズル、第３ノズル、第４ノズル、第５ノズルは、それぞれ図６におけるノズル１７ＹＳＥ，１７ＭＳＥ，１７ＣＳＥ，１７Ｋ１ＳＥ，１７Ｋ２ＳＥに対応するノズル（フチなし記録を行う場合に記録用紙の側端に平面視最も近接して配置されたノズル）である。
【００６３】
本シミュレーションは、記録ヘッドの走査方向の下流側（＋Ｘ方向側）において、記録ヘッドの一部が記録用紙の側端を越えるとともに、記録用紙の側端に最も近接して配置された４つの露出した吸引孔と平面視重なるときに、露出した吸引孔に作用する吸引力によって生じる気流の速度分布をベクトルプロットを用いて測定した。なお、板状部材は平面視矩形状のものを用いた。
【００６４】
実施例１としては本実施形態に係る記録装置（流体噴射ヘッド１０の走査領域の両側の一部に板状部材１１，１２が設けられている構造）（図６参照）を用いた。具体的には、板状部材１１，１２が記録ヘッドの走査方向の上流側（−Ｘ方向側）のみに設けられた記録装置を用いた。
比較例としては従来の記録装置（流体噴射ヘッドの走査領域の少なくとも一方側に板状部材が設けられていない構造）（図７参照）を用いた。
比較した特性は、記録ヘッドのノズル形成面と記録用紙との間における露出した吸引孔に作用する吸引力によって生じる気流の風向である。
【００６５】
評価の結果、比較例における記録ヘッドのノズル形成面と記録用紙との間における露出した吸引孔に作用する吸引力によって生じる気流の風向は、記録ヘッドの走査方向（Ｘ方向）に対して斜めにずれていることが確認された。
これに対し、実施例１における記録ヘッド１０のノズル形成面と記録用紙Ｐとの間における露出した吸引孔５１ｂに作用する吸引力によって生じる気流の風向は、記録ヘッド１０の走査方向（Ｘ方向）に対してほぼ平行になっていることが確認された。
また、記録ヘッドのノズル形成面と記録用紙との間における露出した吸引孔に作用する吸引力によって生じる気流の速度の大きさを比較すると、比較例における気流の速度より実施例１における気流の速度のほうが小さくなっていることが確認された。
【００６６】
すなわち、板状部材が記録ヘッドの走査領域の両側の一部に設けられることにより、露出した吸引孔に作用する吸引力によって生じる気流を所定の方向に整流することが可能であることがわかった。
【００６７】
このように、本実施形態に係る記録装置によって、従来のものよりも気流の風向が一定の方向になることが認められた。
【００６８】
例えば、比較例について、第１ノズル〜第５ノズルの配置及び記録ヘッドのノズル形成面と記録用紙との間における露出した吸引孔に作用する吸引力によって生じる気流の風向の関係を見ると、第２ノズル〜第４ノズルに平面視重なる位置では気流の風向が記録ヘッドの走査方向（Ｘ方向）に対してほぼ平行になっていることが確認される。これに対して、第１ノズル及び第５ノズルに平面視重なる位置では気流の風向が記録ヘッドの走査方向（Ｘ方向）に対して斜めにずれていることが確認される。この第２ノズル〜第４ノズルに平面視重なる位置における気流の風向と第１ノズル及び第５ノズルに平面視重なる位置における気流の風向とが大きく異なっている。
第１ノズル〜第５ノズルの配置及び記録ヘッドのノズル形成面と記録用紙との間における露出した吸引孔に作用する吸引力によって生じる気流の速度の大きさの関係を見ると、第２ノズル〜第４ノズルに平面視重なる位置における気流の速度の大きさと第１ノズル及び第５ノズルに平面視重なる位置における気流の速度の大きさとの間で大きな差が生じていることが確認される。
【００６９】
一方、実施例１について、ノズル１７ＹＳＥ，１７ＭＳＥ，１７ＣＳＥ，１７Ｋ１ＳＥ，１７Ｋ２ＳＥの配置及び記録ヘッド１０のノズル形成面と記録用紙Ｐとの間における露出した吸引孔５１ｂに作用する吸引力によって生じる気流の風向の関係を見ると、ノズル１７ＭＳＥ，１７ＣＳＥ，１７Ｋ１ＳＥに平面視重なる位置では気流の風向が記録ヘッド１０の走査方向（Ｘ方向）に対してほぼ平行になっていることが確認される。これに対して、ノズル１７ＹＳＥ及びノズル１７Ｋ２ＳＥに平面視重なる位置では気流の風向が記録ヘッドの走査方向（Ｘ方向）に対して斜めにずれていることが確認される。しかしながら、ノズル１７ＭＳＥ，１７ＣＳＥ，１７Ｋ１ＳＥに平面視重なる位置における気流の風向とノズル１７ＹＳＥ及びノズル１７Ｋ２ＳＥに平面視重なる位置における気流の風向との差は比較例に比べて小さくなっておりほとんど認められない。
ノズル１７ＹＳＥ，１７ＭＳＥ，１７ＣＳＥ，１７Ｋ１ＳＥ，１７Ｋ２ＳＥの配置及び記録ヘッド１０のノズル形成面と記録用紙Ｐとの間における露出した吸引孔５１ｂに作用する吸引力によって生じる気流の速度の大きさの関係を見ると、ノズル１７ＭＳＥ，１７ＣＳＥ，１７Ｋ１ＳＥに平面視重なる位置における気流の速度の大きさとノズル１７ＹＳＥ及びノズル１７Ｋ２ＳＥに平面視重なる位置における気流の速度の大きさとの間でほとんど差が生じていないことが確認される。
【００７０】
したがって、実施形態に係る記録装置によれば、露出した吸引孔に作用する吸引力によって生じる気流の一部が板状部材によって整流されるため、露出した吸引孔に作用する吸引力によって生じる気流を所定の方向に整流することができる。つまり、記録ヘッドから噴射されるインクの着弾ずれが視認されることがほとんどなくなる。したがって、記録ヘッドから噴射されるインクの着弾ずれを抑制して高品質な印字を可能にするとともにサテライトやインクミストの付着によって記録媒体が汚れてしまうことを防止することが可能な記録装置が実現していることがわかる。
【００７１】
本実施形態に係る記録装置１によれば、露出吸引孔５１ｂに作用する吸引力によって生じる気流の一部が板状部材１１、１２によって整流される。これにより、露出吸引孔５１ｂに作用する吸引力によって生じる気流を所定の方向に整流することができる。例えば、ドットラインを一列に描画する場合、一列に描画されたドットラインのすべてのドットがほぼ同じ方向（所定の方向）に流れるため、人間の眼の感度（視感度）にはほとんど影響しない。つまり、記録ヘッド１０から噴射されるインクの着弾ずれが視認されることがほとんどなくなる。したがって、高品質な印字を可能にするとともにサテライトやインクミストの付着によって記録用紙Ｐが汚れてしまうことを防止することができる。また、特許文献１に示すようにプラテン上の吸引孔の配置やプラテンを分割、エアーダンパの増加を考慮したり、特許文献３に示すようにヘッドの上に気流発生機構を設けたりする構造となっていない。したがって、装置の大型化及びそれに伴うコストアップのない記録装置１を提供することができる。
【００７２】
また、この構成によれば、板状部材１１、１２の少なくとも一部が記録用紙Ｐの側端ＰＳＥに最も近接して配置された露出吸引孔５１ｂ１と対向しているので、板状部材１１、１２の一部が記録用紙Ｐの側端ＰＳＥに最も近接して配置された露出吸引孔５１ｂ１と対向していないときよりも露出吸引孔５１ｂに作用する吸引力によって生じる気流の整流領域を大きくすることができる。したがって、所定の方向への整流作用をさらに向上させることができる。
【００７３】
また、この構成によれば、板状部材１１、１２がそれぞれ記録ヘッド１０の走査領域Ｓの両側に設けられているので、露出吸引孔５１ｂに作用する吸引力によって生じる気流は、板状部材１１、１２によって整流され、板状部材１１と板状部材１２との間を通るようになる。これにより、露出吸引孔５１ｂに作用する吸引力によって生じる気流を記録ヘッド１０の走査方向（Ｘ方向）とほぼ平行に整流することができる。したがって、所定の方向への整流作用をさらに向上させることができる。
【００７４】
また、この構成によれば、板状部材１１、１２は第１の軸ＣＬ１を基準として平面視線対称になっているので、板状部材１１の整流作用及び板状部材１２の整流作用がほぼ同じになる。つまり、記録用紙Ｐの搬送方向下流側（−Ｙ方向側）と搬送方向上流側（＋Ｙ方向側）との間で、露出吸引孔５１ｂに作用する吸引力によって生じる気流に対する整流作用に差が生じなくなる。したがって、所定の方向への整流作用をさらに向上させることができる。
【００７５】
また、本実施形態では、プラテン５０の右サイド（−Ｘ方向側）において記録用紙Ｐの位置決めを行っているが、これに限らない。例えば、プラテン５０の左サイド（＋Ｘ方向側）において記録用紙Ｐの位置決めを行っていてもよい。つまり、プラテン５０のサイド部において記録用紙Ｐの位置決めを行っていればよい。
【００７６】
また、本実施形態では、記録ヘッド１０の走査方向の下流側（＋Ｘ方向側）において、記録ヘッド１０の一部が記録用紙Ｐの側端ＰＳＥを越える場合について説明したがこれに限らない。例えば、記録ヘッド１０の走査方向の上流側（−Ｘ方向側）において記録ヘッド１０の一部が記録用紙Ｐの側端ＰＳＥを越える場合でもよいし、記録ヘッド１０の走査方向の上流側（−Ｘ方向側）と下流側（＋Ｘ方向側）において記録ヘッド１０の一部が記録用紙Ｐの側端ＰＳＥを越える場合でもよい。すなわち、記録ヘッド１０の走査方向の上流側（−Ｘ方向側）と下流側（＋Ｘ方向側）との少なくとも一方において記録ヘッド１０の一部が記録用紙Ｐの側端ＰＳＥを越える場合であればよい。
【００７７】
また、本実施形態では、ステイ１３、１４の一端１３ａ、１４ａが記録ヘッド１０の走査方向の下流側（＋Ｘ方向側）における板状部材１１、１２の側端に対応する位置に固定されているが、これに限らない。例えば、ステイ１３、１４の一端１３ａ、１４ａが記録ヘッド１０の走査方向の上流側（−Ｘ方向側）における板状部材１１、１２の側端に対応する位置に固定されていてもよいし、板状部材１１、１２の上面（記録用紙Ｐと対向する面（下面）と反対側の面）に固定されていてもよい。すなわち、ステイ１３、１４の一端１３ａ、１４ａの固定位置は、板状部材１１、１２の移動や記録ヘッド１０の走査に影響を与えない範囲で適宜変更することができる。
【００７８】
また、本実施形態では、ステイ１３、１４の他端１３ｂ、１４ｂが不図示の移動装置を介してフレーム４２に固定されているが、これに限らない。例えば、ステイ１３、１４の他端１３ｂ、１４ｂが不図示の移動装置を介してプラテン５０の不使用領域（例えば、記録用紙の非配置領域や吸引孔の非形成領域）に固定されていてもよい。すなわち、ステイ１３、１４の他端１３ｂ、１４ｂの固定位置は、プリンター本体の側に設けられていればよい。
【００７９】
なお、本実施形態では、プラテン５０のサイド部において記録用紙Ｐの位置決めを行っているが、これに限らない。以下、本実施形態とは異なる位置決め方法について図８を用いて説明する。
【００８０】
（第２実施形態）
図８は、本発明の第２実施形態に係る板状部材１１１、１１２及び板状部材１２１、１２２の配置状態を示す平面図（記録ヘッド１０の走査領域の両側において記録ヘッド１０と同じ大きさに設けられた板状部材１１１、１１２を＋Ｚ方向側から視た平面図）である。図８は、プラテン（図示略）のセンター部において記録用紙Ｐの位置決めを行った場合の図である。この場合、記録用紙Ｐの両側方（＋Ｘ方向側及び−Ｘ方向側）において露出吸引孔５１ｂが存在することになる。また、図８は図４（ａ）に対応する、記録ヘッド１０を＋Ｚ方向側から視た平面図である。図８において、図４と同様の要素には同一の符号を付し、詳細な説明は省略する。
【００８１】
なお、図８において符号ＰＳＥ１は記録用紙Ｐの＋Ｘ方向側の側端、符号ＰＳＥ２は記録用紙Ｐの−Ｘ方向側の側端、符号ＣＬ２は記録ヘッドの走査方向（Ｘ方向）と垂直かつノズル形成面と平行な中心軸（第２の軸）である。
【００８２】
図８に示すように、記録ヘッド１０の走査領域（図４参照）の両側には、それぞれ板状部材１１１、１１２及び板状部材１２１、１２２が設けられており、各々平面視矩形状になっている。記録ヘッド１０の走査方向の下流側（＋Ｘ方向側）において、記録ヘッド１０の一部が記録用紙Ｐの側端ＰＳＥ１を越えるとともに、記録用紙Ｐの側端ＰＳＥ１に最も近接して配置された露出吸引孔５１ｂ１の少なくとも一部と平面視重なっている。また、板状部材１１、１２の少なくとも一部が記録用紙Ｐの側端ＰＳＥ１に最も近接して配置された露出吸引孔５１ｂ１と対向している。一方、記録ヘッド１０の走査方向の上流側（−Ｘ方向側）において、板状部材１２１、１２２の一部が記録用紙Ｐの−Ｘ方向側の側端ＰＳＥ２に最も近接して配置された露出吸引孔５１ｂ１と対向している。
【００８３】
また、板状部材１１１、１１２はそれぞれ記録ヘッド１０の走査領域の両側において記録ヘッド１０と同じ大きさに設けられている。具体的には、板状部材１１１のＸ方向の長さ、板状部材１１２のＸ方向の長さ、記録ヘッド１０のＸ方向の長さが、ほぼ同じになっている。一方、板状部材１２１、１２２についても、それぞれ記録ヘッド１０の走査領域の両側において記録ヘッド１０と同じ大きさに設けられている。具体的には、板状部材１２１のＸ方向の長さ、板状部材１２２のＸ方向の長さ、記録ヘッド１０のＸ方向の長さが、ほぼ同じになっている。
【００８４】
また、板状部材１１１、１１２は第２の軸ＣＬ２を基準として平面視線対称になっている。これにより、板状部材１１１の整流作用及び板状部材１１２の整流作用がほぼ同じになる。また、同様に、板状部材１２１の整流作用及び板状部材１２２の整流作用がほぼ同じになる。つまり、記録用紙Ｐの搬送方向下流側（−Ｙ方向側）と搬送方向上流側（＋Ｙ方向側）との間で、露出吸引孔５１ｂに作用する吸引力によって生じる気流に対する整流作用に差が生じなくなる。したがって、所定の方向への整流作用をさらに向上させることができる。
【００８５】
また、板状部材１１１、１１２には、記録ヘッド１０の走査方向の下流側（＋Ｘ方向側）において、それぞれステイ１１３、１１４が設けられている。
【００８６】
具体的には、ステイ１１３の一端１１３ａは、記録ヘッド１０の走査方向の下流側（＋Ｘ方向側）における板状部材１１１の側端に対応する位置に固定されている。また、ステイ１１４の一端１１４ａは、記録ヘッド１０の走査方向の下流側（＋Ｘ方向側）における板状部材１１２の側端に対応する位置に固定されている。一方、ステイ１１３の他端１１３ｂ及びステイ１１４の他端１１４ｂは、不図示の移動装置を介してフレーム４２（図１参照）に固定されている。
【００８７】
不図示の移動装置を駆動することにより、板状部材１１１、１１２は、記録ヘッド１０の走査領域の両側に位置するようにＸ方向及びＹ方向に移動可能になっている。また、板状部材１１１、１１２は、記録用紙Ｐのサイズや記録ヘッド１０のサイズなどに対応するようにＸ方向及びＹ方向に移動可能になっている。
【００８８】
また、板状部材１２１、１２２には、記録ヘッド１０の走査方向の上流側（−Ｘ方向側）において、それぞれステイ１２３、１２４が設けられている。
【００８９】
具体的には、ステイ１２３の一端１２３ａは、記録ヘッド１０の走査方向の上流側（−Ｘ方向側）における板状部材１２１の側端に対応する位置に固定されている。また、ステイ１２４の一端１２４ａは、記録ヘッド１０の走査方向の上流側（−Ｘ方向側）における板状部材１２２の側端に対応する位置に固定されている。一方、ステイ１２３の他端１２３ｂ及びステイ１２４の他端１２４ｂは、不図示の移動装置を介してフレーム４２（図１参照）に固定されている。
【００９０】
不図示の移動装置を駆動することにより、板状部材１２１、１２２は、記録ヘッド１０の走査領域の両側に位置するようにＸ方向及びＹ方向に移動可能になっている。また、板状部材１２１、１２２は、記録用紙Ｐのサイズや記録ヘッド１０のサイズなどに対応するようにＸ方向及びＹ方向に移動可能になっている。
【００９１】
なお、本実施形態では記録装置に４つの板状部材１１１、１１２、１２１、１２２が設けられている例を示したがこれに限らない。例えば、記録装置に２つの板状部材１３１、１３２が設けられている場合についても適用可能である。以下、この場合の配置状態について図９を用いて説明する。
【００９２】
図９は、記録装置に２つの板状部材１３１、１３２が設けられている場合の配置状態を示す平面図である。図９は、プラテン（図示略）のセンター部において記録用紙Ｐの位置決めを行った場合の図である。この場合、記録用紙Ｐの両側方（＋Ｘ方向側及び−Ｘ方向側）において露出吸引孔５１ｂが存在することになる。また、図９は図８に対応する、記録ヘッド１０を＋Ｚ方向側から視た平面図である。図９において、図８と同様の要素には同一の符号を付し、詳細な説明は省略する。
【００９３】
図９に示すように、記録ヘッド１０の走査領域（図４参照）の両側には、それぞれ板状部材１３１、１３２が設けられており、各々平面視矩形状になっている。記録ヘッド１０の走査方向の下流側（＋Ｘ方向側）において、記録ヘッド１０の一部が記録用紙Ｐの側端ＰＳＥ１を越えるとともに、記録用紙Ｐの側端ＰＳＥ１に最も近接して配置された露出吸引孔５１ｂ１の少なくとも一部と平面視重なっている。また、板状部材１３１、１３２の一部が記録用紙Ｐの側端ＰＳＥ１に最も近接して配置された露出吸引孔５１ｂ１と対向している。一方、記録ヘッド１０の走査方向の上流側（−Ｘ方向側）において、板状部材１３１、１３２の一部が記録用紙Ｐの−Ｘ方向側の側端ＰＳＥ２に最も近接して配置された露出吸引孔５１ｂ１と対向している。
【００９４】
また、板状部材１３１、１３２はそれぞれ記録ヘッド１０の走査領域の両側全体に設けられている。具体的には、板状部材１３１のＸ方向の長さ及び板状部材１３２のＸ方向の長さが、記録ヘッド１０のＸ方向における走査範囲とほぼ同じになっている。
【００９５】
また、板状部材１３１、１３２には、記録ヘッド１０の走査方向の下流側（＋Ｘ方向側）において、それぞれステイ１１３、１１４が設けられている。
【００９６】
具体的には、ステイ１１３の一端１１３ａは、記録ヘッド１０の走査方向の下流側（＋Ｘ方向側）における板状部材１３１の側端に対応する位置に固定されている。また、ステイ１１４の一端１１４ａは、記録ヘッド１０の走査方向の下流側（＋Ｘ方向側）における板状部材１３２の側端に対応する位置に固定されている。一方、ステイ１１３の他端１１３ｂ及びステイ１１４の他端１１４ｂは、不図示の移動装置を介してフレーム４２（図１参照）に固定されている。
【００９７】
また、板状部材１３１、１３２には、記録ヘッド１０の走査方向の上流側（−Ｘ方向側）において、それぞれステイ１２３、１２４が設けられている。
【００９８】
具体的には、ステイ１２３の一端１２３ａは、記録ヘッド１０の走査方向の上流側（−Ｘ方向側）における板状部材１３１の側端に対応する位置に固定されている。また、ステイ１２４の一端１２４ａは、記録ヘッド１０の走査方向の上流側（−Ｘ方向側）における板状部材１３２の側端に対応する位置に固定されている。一方、ステイ１２３の他端１２３ｂ及びステイ１２４の他端１２４ｂは、不図示の移動装置を介してフレーム４２（図１参照）に固定されている。
【００９９】
不図示の移動装置を駆動することにより、板状部材１３１、１３２は、記録ヘッド１０の走査領域の両側に位置するようにＹ方向に移動可能になっている。また、板状部材１３１、１３２は、記録用紙Ｐのサイズや記録ヘッド１０のサイズなどに対応するようにＹ方向に移動可能になっている。
【０１００】
この場合においても、記録ヘッドの走査方向の上流側（−Ｘ方向側）及び下流側（＋Ｘ方向側）において、記録用紙Ｐの搬送方向下流側（−Ｙ方向側）と搬送方向上流側（＋Ｙ方向側）との間で、露出吸引孔５１ｂに作用する吸引力によって生じる気流に対する整流作用に差が生じなくなる。
【０１０１】
本願発明者は、本実施形態に係る記録装置の効果を確認するためのシミュレーションを行った。以下、本実施形態に係る記録装置（流体噴射ヘッドの走査領域の両側において記録ヘッド１０と同じ大きさに板状部材が設けられている構造）及び従来の記録装置（流体噴射ヘッドの走査領域の少なくとも一方側に板状部材が設けられていない構造）における記録媒体上の気流の速度分布のシミュレーション結果について、図１０及び上述の図７を用いて説明する。
【０１０２】
図１０は、実施例２における気流の速度分布のシミュレーション結果を示す図である。なお、図１０においては、便宜上、記録ヘッド１０及び板状部材１１１，１１２の図示を破線で示し、記録用紙Ｐの図示を一点鎖線で示している。また、図１０は図６に対応する、実施例２における気流の速度分布のシミュレーション結果を示す図である。図１０において、図６と同様の要素には同一の符号を付し、詳細な説明は省略する。
【０１０３】
実施例２としては本実施形態に係る記録装置（流体噴射ヘッド１１０の走査領域の両側において記録ヘッド１０と同じ大きさに板状部材１１１，１１２が設けられている構造）（図１０参照）を用いた。具体的には、２つの板状部材１１１，１１２のＸ方向の長さと記録ヘッド１０のＸ方向の長さとがほぼ同じになっている記録装置を用いた。
比較例としては、実施例１の比較対象と同様に、従来の記録装置（流体噴射ヘッドの走査領域の少なくとも一方側に板状部材が設けられていない構造）（図７参照）を用いた。
比較した特性は、記録ヘッドのノズル形成面と記録用紙との間における露出した吸引孔に作用する吸引力によって生じる気流の風向である。
【０１０４】
評価の結果、比較例における記録ヘッドのノズル形成面と記録用紙との間における露出した吸引孔に作用する吸引力によって生じる気流の風向は、記録ヘッドの走査方向（Ｘ方向）に対して斜めにずれていることが確認された。
これに対し、実施例２における記録ヘッド１０のノズル形成面と記録用紙Ｐとの間における露出した吸引孔５１ｂに作用する吸引力によって生じる気流の風向は、記録ヘッド１０の走査方向（Ｘ方向）に対してほぼ平行になっていることが確認された。
また、記録ヘッドのノズル形成面と記録用紙との間における露出した吸引孔に作用する吸引力によって生じる気流の速度の大きさを比較すると、比較例における気流の速度より実施例２における気流の速度のほうが小さくなっていることが確認された。
【０１０５】
すなわち、板状部材が記録ヘッドの走査領域の両側の一部に設けられていても、板状部材が記録ヘッドの走査領域の両側において記録ヘッド１０と同じ大きさに設けられていても、露出した吸引孔に作用する吸引力によって生じる気流を所定の方向に整流することが可能であることがわかった。
【０１０６】
このように、本実施形態に係る記録装置によっても、従来のものよりも気流の風向が一定の方向になることが認められた。
【０１０７】
なお、本実施形態ではステイ１１３、１１４、１２３、１２４にそれぞれ板状部材１１１、１１２、１２１、１２２（１３１、１３２）が固定されているとともに、プラテン（図示略）のセンター部において記録用紙Ｐの位置決めを行う場合について説明したが、これに限らない。例えば、レール２１３、２１４にそれぞれ板状部材３１１、３１２が移動可能に配置されているとともに、プラテン（図示略）のセンター部において記録用紙Ｐの位置決めを行う場合についても適用可能である。以下、この場合の移動機構について図１１を用いて説明する。
【０１０８】
図１１は、記録装置にレール２１３、２１４及び板状部材３１１、３１２が設けられ、レール２１３、２１４にそれぞれ板状部材３１１、３１２が移動可能に配置されているとともに、プラテン（図示略）のセンター部において記録用紙Ｐの位置決めを行う場合についての移動機構を示す平面図である。図１１（ａ）は記録ヘッド１０が記録ヘッドの走査方向の下流側（＋Ｘ方向側）にある状態を示している。また、図１１（ｂ）は記録ヘッド１０の移動状態を示している。また、図１１（ｃ）は記録ヘッド１０が記録ヘッドの走査方向の上流側（−Ｘ方向側）にある状態を示している。なお、図１１は図４（ａ）に対応する、記録ヘッド１０を＋Ｚ方向側から視た平面図である。図１１において、図４（ａ）と同様の要素には同一の符号を付し、詳細な説明を省略する。
【０１０９】
図１１に示すように、板状部材３１１、３１２は、それぞれレール２１３、２１４に沿って移動可能になっている。レール２１３、２１４は、その本体部が記録ヘッド１０の走査方向（Ｘ方向）に延在している。
【０１１０】
具体的には、レール２１３の一端２１３ａ及びレール２１４の一端２１４ａは、記録ヘッド１０の走査方向の下流側（＋Ｘ方向側）におけるフレーム４２（図１参照）に不図示の移動装置を介して固定されている。一方、レール２１３の他端２１３ｂ及びレール２１４の他端２１４ｂは、記録ヘッド１０の走査方向の上流側（−Ｘ方向側）におけるフレーム４２（図１参照）に不図示の移動装置を介して固定されている。
【０１１１】
不図示の移動装置を駆動することにより、板状部材３１１、３１２は、記録ヘッド１０の走査領域の両側に位置するようにＹ方向に移動可能になっている。また、板状部材３１１、３１２は、記録用紙Ｐのサイズや記録ヘッド１０のサイズなどに対応するようにＹ方向に移動可能になっている。
【０１１２】
図１１（ａ）に示すように、板状部材３１１、３１２は、記録ヘッド１０の走査方向の下流側（＋Ｘ方向側）において露出吸引孔５１ｂに作用する吸引力によって生じる気流を整流するように位置決めされる。
【０１１３】
図１０（ｂ）に示すように、記録ヘッド１０が移動している最中においては、記録ヘッド１０から噴射されるインクは、露出吸引孔５１ｂに作用する吸引力によって生じる気流にほとんど影響を受けない。
【０１１４】
図１０（ｃ）に示すように、板状部材３１１、３１２は、記録ヘッド１０の走査方向の上流側（−Ｘ方向側）において露出吸引孔５１ｂに作用する吸引力によって生じる気流を整流するように位置決めされる。
【０１１５】
この構成によれば、板状部材３１１、３１２が記録ヘッド１０の走査方向（Ｘ方向）と平行な方向に移動可能になっているので、板状部材１１、１２が記録ヘッド１０の走査方向の上流側（−Ｘ方向側）及び下流側（＋Ｘ方向側）において露出吸引孔５１ｂに作用する吸引力によって生じる気流を整流するように位置決めされる。つまり、記録ヘッド１０の走査方向の上流側（−Ｘ方向側）及び下流側（＋Ｘ方向側）において、記録用紙Ｐの搬送方向下流側（−Ｙ方向側）と搬送方向上流側（＋Ｙ方向側）との間で、露出吸引孔に作用する吸引力によって生じる気流に対する整流作用に差が生じなくなる。したがって、所定の方向への整流作用をさらに向上させることができる。
【０１１６】
また、記録ヘッド１０の走査制御及び板状部材３１１、３１２の移動制御を同期して行うことができる。つまり、板状部材３１１、３１２を記録ヘッド１０の走査に追従するように移動させることができる。
【０１１７】
また、板状部材が変更可能になっていてもよい。例えば、板状部材が記録ヘッドの走査方向（Ｘ方向）と垂直かつノズル形成面２１Ａと平行な方向に伸縮可能になっていてもよいし、板状部材が着脱可能になっていてもよい。
【０１１８】
これにより、露出吸引孔５１ｂに作用する吸引力によって生じる気流に対する板状部材の整流作用を適宜変更することができる。例えば、板状部材の整流作用（整流領域）が小さいときは、板状部材が記録ヘッドの走査方向（Ｘ方向）と垂直かつノズル形成面２１Ａと平行な方向に伸ばしたり、この方向に伸長した板状部材と取り替えたりする。一方、板状部材の整流作用（整流領域）が大きいときは、板状部材が記録ヘッドの走査方向（Ｘ方向）と垂直かつノズル形成面２１Ａと平行な方向に縮めたり、この方向に縮小した板状部材と取り替えたりする。
【０１１９】
なお、上記第１実施形態では、平面視矩形状の板状部材１１、１２を示したが、これに限らない。以下、第１実施形態とは異なる形態の板状部材について、図１２（ａ）〜図１２（ｅ）を用いて説明する。
【０１２０】
（変形例１）
図１２（ａ）〜図１２（ｅ）は、第１実施形態とは異なる形態の板状部材を示す平面図である。なお、図１２（ａ）〜図１２（ｅ）においては、便宜上、記録用紙Ｐ、プラテン５０及び複数の吸引孔５１の図示を省略している。また、図１２（ａ）〜図１２（ｅ）において、記録ヘッド１０及び板状部材の配置状態は図４と同様の位置に配置されているものとする。また、図１２（ａ）〜図１２（ｅ）における板状部材は、図４で示したものと同様に記録ヘッド１０の走査領域の両側の一部に設けられており、第１の軸ＣＬ１を基準として平面視線対称になっている。
【０１２１】
図１２（ａ）に示すように、板状部材１１ａ及び板状部材１２ａは、露出吸引孔５１ｂ（図示略、図４参照）から最も離間した部分が平面視円弧状になっている。板状部材１１ａ及び板状部材１２ａの記録ヘッド１０の走査方向と垂直かつノズル形成面２１Ａと平行な方向に延在する長さは、平面視円弧状部において、第１の軸ＣＬ１に沿って露出吸引孔５１ｂに近づくにつれて長くなっている。これにより、露出吸引孔５１ｂに作用する吸引力によって生じる気流の風向を変えることができる。
【０１２２】
図１２（ｂ）に示すように、板状部材１１ｂ及び板状部材１２ｂは、露出吸引孔５１ｂ（図示略、図４参照）から最も離間した部分が平面視面取りされた形状になっている。板状部材１１ｂ及び板状部材１２ｂの記録ヘッド１０の走査方向と垂直かつノズル形成面２１Ａと平行な方向に延在する長さは、平面視面取り形状部において、第１の軸ＣＬ１に沿って露出吸引孔５１ｂに近づくにつれて長くなっている。これによっても、露出吸引孔５１ｂに作用する吸引力によって生じる気流の風向を変えることができる。
【０１２３】
図１２（ｃ）に示すように、板状部材１１ｃ及び板状部材１２ｃは、平面視矩形形状と平面視扇形状とが組み合わされた平面視羽形状になっている。板状部材１１ｃ及び板状部材１２ｃの記録ヘッド１０の走査方向と垂直かつノズル形成面２１Ａと平行な方向に延在する長さは、平面視扇形状部において、第１の軸ＣＬ１に沿って露出吸引孔５１ｂ（図示略、図４参照）に近づくにつれて長くなっている。これによっても、露出吸引孔５１ｂに作用する吸引力によって生じる気流の風向を変えることができる。
【０１２４】
図１２（ｄ）に示すように、板状部材１１ｄ及び板状部材１２ｄは、露出吸引孔５１ｂ（図示略、図４参照）から最も離間した部分が平面視反円弧状になっている。板状部材１１ｄ及び板状部材１２ｄの記録ヘッド１０の走査方向と垂直かつノズル形成面２１Ａと平行な方向に延在する長さは、平面視反円弧状部において、第１の軸ＣＬ１に沿って露出吸引孔５１ｂに近づくにつれて長くなっている。これによっても、露出吸引孔５１ｂに作用する吸引力によって生じる気流の風向を変えることができる。
【０１２５】
図１２（ｅ）に示すように、板状部材１１ｅ及び板状部材１２ｅは、露出吸引孔５１ｂ（図示略、図４参照）から最も離間した部分がカットされた平面視Ｌ字形状（逆Ｌ字形状）になっている。板状部材１１ｅ及び板状部材１２ｅの記録ヘッド１０の走査方向と垂直かつノズル形成面２１Ａと平行な方向に延在する長さは、平面視Ｌ字形状（逆Ｌ字形状）の段差部において、第１の軸ＣＬ１に沿って露出吸引孔５１ｂに近いほうが長くなっている。
【０１２６】
このような形状においても、露出吸引孔５１ｂ（図示略、図４参照）に作用する吸引力によって生じる気流を所定の方向に整流することができる。
【０１２７】
なお、上記第２実施形態では、平面視矩形状の板状部材１１１、１１２を示したが、これに限らない。以下、第２実施形態とは異なる形態の板状部材について、図１２を用いて説明する。
【０１２８】
（変形例２）
図１３は、第２実施形態に係る板状部材１１１、１１２とは異なる形態の板状部材を示す平面図である。なお、図１２においては、便宜上、記録用紙Ｐ、プラテン５０及び複数の吸引孔５１の図示を省略している。また、図１３において、記録ヘッド１０及び板状部材の配置状態は図８と同様の位置に配置されているものとする。また、図１３における板状部材は、図８で示したものと同様に記録ヘッド１０の走査領域の両側において記録ヘッド１０と同じ大きさに設けられており、第２の軸ＣＬ２を基準として平面視線対称になっている。
【０１２９】
図１３に示すように、板状部材２１１は、搬送方向下流側（−Ｙ方向側）の端部が平面視半月形状（逆Ｕ字形状）にカットされた形状となっている。一方、板状部材２１２は、搬送方向上流側（＋Ｙ方向側）の端部が平面視半月形状（Ｕ字形状）にカットされた形状となっている。これにより、露出吸引孔５１ｂ（図示略、図８参照）に作用する吸引力によって生じる気流の風向を変えることができる。
【０１３０】
このような形状においても、露出吸引孔５１ｂ（図示略、図８参照）に作用する吸引力によって生じる気流を所定の方向に整流することができる。
【０１３１】
なお、上記実施形態では、板状部材が記録ヘッドと所定の隙間を空けて配置されることで気流の整流作用を行う場合について説明したが、これに限らない。以下、上記実施形態とは異なる形態の板状部材と記録ヘッドとの接触状態について、図１４を用いて説明する。
【０１３２】
（変形例３）
図１４は、上記実施形態とは異なる形態の板状部材と記録ヘッドとの配置状態を示す平面図である。なお、図１４においては、便宜上、記録用紙Ｐ、プラテン５０及び複数の吸引孔５１の図示を省略している。また、図１４における板状部材は、図４で示したものと同様に記録ヘッド１０の走査領域の両側の一部に設けられており、第１の軸ＣＬ１を基準として平面視線対称になっている。
【０１３３】
図１４（ａ）に示すように、板状部材１１、１２と記録ヘッド１０との間にそれぞれ弾性部材６１、６２が設けられている。弾性部材６１、６２は、それぞれ板状部材１１、１２に固定されている。また、板状部材１１のＸ方向の長さ、板状部材１２のＸ方向の長さ、弾性部材６１、６２のＸ方向の長さが、ほぼ同じになっている。弾性部材６１、６２としては、例えばブラシ等の柔軟性を有するものを用いることができる。
【０１３４】
図１４（ｂ）に示すように、板状部材１１、１２と記録ヘッド１０との間にそれぞれ弾性部材６３、６４が設けられている。弾性部材６３、６４は、それぞれ記録ヘッド１０の両側に固定されている。また、記録ヘッド１０のＸ方向の長さ及び弾性部材６３、６４のＸ方向の長さがほぼ同じになっている。弾性部材６３、６４としては、例えばブラシ等の柔軟性を有するものを用いることができる。
【０１３５】
これにより、板状部材１１、１２が弾性部材６１、６２を介して記録ヘッド１０と間接的に接触するようになる。例えば、記録ヘッドを走査したり板状部材を移動したりする際の位置バラツキによって、記録ヘッドと板状部材とが強接触する場合がある。このため、板状部材と流体噴射ヘッドとの間に弾性部材が設けられていないと、この強接触に起因して流体噴射ヘッドに衝撃が付与され、流体噴射ヘッドを損傷させてしまうおそれがある。すなわち、板状部材と流体噴射ヘッドとの間に弾性部材が設けられていない場合（板状部材が記録ヘッドと所定の隙間を空けて配置されることで気流の整流作用を行う場合）に比べて、流体噴射ヘッドを損傷させてしまう蓋然性が小さくなる。したがって、装置が損傷することが抑制された信頼性に優れる記録装置を提供することができる。
【符号の説明】
【０１３６】
１…記録装置、１０…記録ヘッド（流体噴射ヘッド）、１１，１１ａ，１１ｂ，１１ｃ，１１ｄ，１１ｅ，１１１，１２１，２１１，１２，１２ａ，１２ｂ，１２ｃ，１２ｄ，１２ｅ，１１２，１２２，１３１，１３２，２１２，３１１，３１２…板状部材、１１Ａ，１２Ａ…下面、１７…ノズル、２１Ａ…ノズル形成面、５０…プラテン（記録媒体支持部）、５１…吸引孔、５１ｂ…露出吸引孔、５１ｂ１…記録媒体の側端に最も近接して配置された露出吸引孔、６１，６２，６３，６４…弾性部材、ＣＬ１…第１の軸、ＣＬ２…第２の軸、Ｐ…記録用紙（記録媒体）、ＰＳＥ，ＰＳＥ１，ＰＳＥ２…記録媒体の側端、Ｓ…走査領域
【図１】
2011131388.tif 000003
【図２】
2011131388.tif 000004
【図３】
2011131388.tif 000005
【図４】
2011131388.tif 000006
【図５】
2011131388.tif 000007
【図６】
2011131388.tif 000008
【図７】
2011131388.tif 000009
【図８】
2011131388.tif 000010
【図９】
2011131388.tif 000011
【図１０】
2011131388.tif 000012
【図１１】
2011131388.tif 000013
【図１２】
2011131388.tif 000014
【図１３】
2011131388.tif 000015
【図１４】
2011131388.tif 000016